【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の送信時間間隔（ＴＴＩ）を使用する通信用のパラメータの第１のセットを決定することを備え、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実行することと、
を特徴とする、方法。
【請求項２】
前記第１のパラメータは、ノードの時間追跡パラメータまたは前記ノードの周波数追跡パラメータのうちの少なくとも１つ、または両方を備える、または、
前記通信を実行することは、動的ポイント選択（ＤＰＳ）ＣｏＭＰ通信、協調ビームフォーミング（ＣＢＦ）ＣｏＭＰ通信、もしくはジョイント送信（ＪＴ）ＣｏＭＰ通信のうちの少なくとも１つ、またはそれらの任意の組合せを実行すること、を備える、または、
前記通信を実行することは、共通基準信号（ＣＲＳ）ベースの通信または復調基準信号（ＤＭ−ＲＳ）ベースの通信を実行することを備え、前記第１のパラメータは、ＣＲＳベースのパラメータまたはＤＭ−ＲＳベースのパラメータを備える、請求項１に記載の方法。
【請求項３】
前記通信を実行することは、
ノードの第１のＣｏＭＰ協働セット内の第１の複数のノードと、ノードの第２のＣｏＭＰ協働セット内の第２の複数のノードとを識別することと、ここにおいて、ノードの前記第１のＣｏＭＰ協働セットは前記第１のＴＴＩを使用して通信し、ノードの前記第２のＣｏＭＰ協働セットは前記第２のＴＴＩを使用して通信する、
ノードの前記第１のＣｏＭＰ協働セットまたはノードの前記第２のＣｏＭＰ協働セットのうちの１つまたは複数を使用してユーザ機器（ＵＥ）との通信を実行することと、
を備える、請求項１に記載の方法。
【請求項４】
ノードの前記第２のＣｏＭＰ協働セット内の前記第２の複数のノードは、ノードの前記第１のＣｏＭＰ協働セット内の前記第１の複数のノードのサブセットである、請求項３に記載の方法。
【請求項５】
前記第１のパラメータは、前記第２のＴＴＩについてのチャネル状態情報（ＣＳＩ）プロセス用のパラメータを備える、請求項１に記載の方法。
【請求項６】
前記第１のＴＴＩまたは前記第２のＴＴＩを使用する通信用の２つ以上のチャネル状態情報（ＣＳＩ）プロセスを識別すること、
をさらに備える、請求項５に記載の方法。
【請求項７】
前記第２のＴＴＩについての前記ＣＳＩプロセス用の前記パラメータは、前記第１のＴＴＩを使用する通信用の対応するＣＳＩプロセスに関連付けられる、請求項５に記載の方法。
【請求項８】
前記第２のＴＴＩについての前記ＣＳＩプロセス用の前記パラメータは、ランクインジケータ（ＲＩ）、プリコーディング行列インジケータ（ＰＭＩ）、もしくはプリコーディングタイプインジケータ（ＰＴＩ）のうちの少なくとも１つ、またはそれらの任意の組合せを備える、または、
前記第２のＴＴＩについての前記ＣＳＩプロセス用の前記パラメータは、前記第１のＴＴＩを使用する通信用のチャネル品質インジケータ（ＣＱＩ）から導出されるＣＱＩを備える、請求項７に記載の方法。
【請求項９】
前記第１のパラメータは、前記第２のＴＴＩについての仮想セル識別情報（ＶＣＩＤ）を備える、請求項１に記載の方法。
【請求項１０】
前記第２のＴＴＩを使用する通信用のＶＣＩＤ構成は、前記第１のＴＴＩを使用する通信用のＶＣＩＤ構成に関連付けられる、または、
データ通信のために、前記第２のＴＴＩまたは前記第１のＴＴＩを使用する前記ＶＣＩＤは、制御チャネル内のシグナリングによって決定される、または、
第１のＶＣＩＤ用の制御チャネル通信は、第１の復号候補のために決定され、第２のＶＣＩＤ用の制御チャネル通信は、第２の復号候補のために決定される、請求項９に記載の方法。
【請求項１１】
前記第１のパラメータは、物理ダウンリンク共有チャネルレートマッチング、または前記第２のＴＴＩのための擬似コロケーションインジケータ（ＰＱＩ）構成のうちの少なくとも１つ、またはそれらの任意の組合せを備える、請求項１に記載の方法。
【請求項１２】
前記第２のＴＴＩを使用する通信用の前記ＰＱＩ構成は、前記第１のＴＴＩを使用する通信用と同じＰＱＩ構成である、請求項１１に記載の方法。
【請求項１３】
前記第２のＴＴＩを使用する通信用のＰＱＩ構成の数は、前記第１のＴＴＩを使用する通信用のＰＱＩ構成の数よりも少ないかまたはそれに等しい、請求項１１に記載の方法。
【請求項１４】
データ通信のために、前記第２のＴＴＩまたは前記第１のＴＴＩを使用する前記ＰＱＩ構成は、制御チャネル内のシグナリングによって決定される、または、
制御チャネル通信のために、第１のＰＱＩ構成が第１の復号候補のために決定され、第２のＰＱＩ構成が第２の復号候補のために決定される、請求項１３に記載の方法。
【請求項１５】
前記第１のＴＴＩに対して前記第２のＴＴＩを使用する送信のタイミングに少なくとも部分的に基づいて、前記第２のＴＴＩを使用する前記送信のＣｏＭＰ送信方式を決定すること、
をさらに備える、請求項１に記載の方法。
【請求項１６】
前記ＣｏＭＰ送信方式は、前記第２のＴＴＩを使用する前記送信が前記第１のＴＴＩの制御領域と一致するときディセーブルにされ、前記ＣｏＭＰ送信方式は、前記第２のＴＴＩを使用する前記送信が前記第１のＴＴＩのデータ領域と一致するときイネーブルにされる、または、
前記ＣｏＭＰ送信方式は、前記第２のＴＴＩを使用する前記送信が前記第１のＴＴＩの制御領域と一致するとき共通基準信号（ＣＲＳ）に基づき、前記ＣｏＭＰ送信方式は、前記第２のＴＴＩを使用する前記送信が前記第１のＴＴＩのデータ領域と一致するとき復調基準信号（ＤＭ−ＲＳ）に基づく、または、
前記第１のＴＴＩの中の制御領域内の直交周波数分割多重（ＯＦＤＭ）シンボルの量は可変であり、１つまたは複数のＯＦＤＭシンボルは、前記ＯＦＤＭシンボルが制御領域ＯＦＤＭシンボルを備えるか、またはデータ領域ＯＦＤＭシンボルを備えるかを決定するためにブラインド復号される、または、
前記第１のＴＴＩの中の制御領域の直交周波数分割多重（ＯＦＤＭ）シンボルの数は、前記第２のＴＴＩを使用して送信されるサブフレームのチャネルフォーマットインジケータおよびタイプに少なくとも部分的に基づいて決定される、または、
前記第１のＴＴＩを使用して送信される直交周波数分割多重（ＯＦＤＭ）シンボルのサブセットは、ＯＦＤＭシンボルの前記サブセット内の各シンボルが制御情報を備えるか、またはデータを備えるかにかかわらず、前記第１のＴＴＩの中の制御領域シンボルであるように構成される、または、
前記第１のＴＴＩの中の制御領域用の前記ＣｏＭＰ送信方式と、前記制御領域の直交周波数分割多重（ＯＦＤＭ）シンボルの数とが、ユーザ機器（ＵＥ）にシグナリングされる、請求項１５に記載の方法。
【請求項１７】
請求項１〜１６のうちの何れか一項に記載のステップを実行するように構成された手段を備える、ワイヤレス通信のための装置。
【請求項１８】
ワイヤレス通信のためのコードを記憶する非一時的コンピュータ可読媒体であって、前記コードは請求項１〜１６のうちの何れか一項に記載のステップを実行するように構成された命令を備える、非一時的コンピュータ可読媒体。
【手続補正２】
【補正対象書類名】明細書
【補正対象項目名】０１５２
【補正方法】変更
【補正の内容】
【０１５２】
[0168]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムに使用される場合がある。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００
１Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、上述されたシステムおよび無線技術ならびに他のシステムおよび無線技術に使用される場合がある。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
［Ｃ１］
ワイヤレス通信のための方法であって、
第１の送信時間間隔（ＴＴＩ）を使用する通信用のパラメータの第１のセットを決定することと、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実行することと、
を備える、方法。
［Ｃ２］
前記第１のパラメータは、ノードの時間追跡パラメータまたは前記ノードの周波数追跡パラメータのうちの少なくとも１つ、または両方を備える、Ｃ１に記載の方法。
［Ｃ３］
前記通信を実行することは、
動的ポイント選択（ＤＰＳ）ＣｏＭＰ通信、協調ビームフォーミング（ＣＢＦ）ＣｏＭＰ通信、もしくはジョイント送信（ＪＴ）ＣｏＭＰ通信のうちの少なくとも１つ、またはそれらの任意の組合せを実行すること、
を備える、Ｃ１に記載の方法。
［Ｃ４］
前記通信を実行することは、
ノードの第１のＣｏＭＰ協働セット内の第１の複数のノードと、ノードの第２のＣｏＭＰ協働セット内の第２の複数のノードとを識別することと、ここにおいて、ノードの前記第１のＣｏＭＰ協働セットは前記第１のＴＴＩを使用して通信し、ノードの前記第２のＣｏＭＰ協働セットは前記第２のＴＴＩを使用して通信する、
ノードの前記第１のＣｏＭＰ協働セットまたはノードの前記第２のＣｏＭＰ協働セットのうちの１つまたは複数を使用してユーザ機器（ＵＥ）との通信を実行することと、
を備える、Ｃ１に記載の方法。
［Ｃ５］
ノードの前記第２のＣｏＭＰ協働セット内の前記第２の複数のノードは、ノードの前記第１のＣｏＭＰ協働セット内の前記第１の複数のノードのサブセットである、Ｃ４に記載の方法。
［Ｃ６］
前記通信を実行することは、共通基準信号（ＣＲＳ）ベースの通信または復調基準信号（ＤＭ−ＲＳ）ベースの通信を実行することを備え、前記第１のパラメータは、ＣＲＳベースのパラメータまたはＤＭ−ＲＳベースのパラメータを備える、Ｃ１に記載の方法。
［Ｃ７］
前記第１のパラメータは、前記第２のＴＴＩについてのチャネル状態情報（ＣＳＩ）プロセス用のパラメータを備える、Ｃ１に記載の方法。
［Ｃ８］
前記第１のＴＴＩまたは前記第２のＴＴＩを使用する通信用の２つ以上のチャネル状態情報（ＣＳＩ）プロセスを識別すること、
をさらに備える、Ｃ７に記載の方法。
［Ｃ９］
前記第２のＴＴＩについての前記ＣＳＩプロセス用の前記パラメータは、前記第１のＴＴＩを使用する通信用の対応するＣＳＩプロセスに関連付けられる、Ｃ７に記載の方法。
［Ｃ１０］
前記第２のＴＴＩについての前記ＣＳＩプロセス用の前記パラメータは、ランクインジケータ（ＲＩ）、プリコーディング行列インジケータ（ＰＭＩ）、もしくはプリコーディングタイプインジケータ（ＰＴＩ）のうちの少なくとも１つ、またはそれらの任意の組合せを備える、Ｃ９に記載の方法。
［Ｃ１１］
前記第２のＴＴＩについての前記ＣＳＩプロセス用の前記パラメータは、前記第１のＴＴＩを使用する通信用のチャネル品質インジケータ（ＣＱＩ）から導出されるＣＱＩを備える、Ｃ９に記載の方法。
［Ｃ１２］
前記第１のパラメータは、前記第２のＴＴＩについての仮想セル識別情報（ＶＣＩＤ）を備える、Ｃ１に記載の方法。
［Ｃ１３］
前記第２のＴＴＩを使用する通信用のＶＣＩＤ構成は、前記第１のＴＴＩを使用する通信用のＶＣＩＤ構成に関連付けられる、Ｃ１２に記載の方法。
［Ｃ１４］
データ通信のために、前記第２のＴＴＩまたは前記第１のＴＴＩを使用する前記ＶＣＩＤは、制御チャネル内のシグナリングによって決定される、Ｃ１２に記載の方法。
［Ｃ１５］
第１のＶＣＩＤ用の制御チャネル通信は、第１の復号候補のために決定され、第２のＶＣＩＤ用の制御チャネル通信は、第２の復号候補のために決定される、Ｃ１２に記載の方法。
［Ｃ１６］
前記第１のパラメータは、物理ダウンリンク共有チャネルレートマッチング、または前記第２のＴＴＩのための擬似コロケーションインジケータ（ＰＱＩ）構成のうちの少なくとも１つ、またはそれらの任意の組合せを備える、Ｃ１に記載の方法。
［Ｃ１７］
前記第２のＴＴＩを使用する通信用の前記ＰＱＩ構成は、前記第１のＴＴＩを使用する通信用と同じＰＱＩ構成である、Ｃ１６に記載の方法。
［Ｃ１８］
前記第２のＴＴＩを使用する通信用のＰＱＩ構成の数は、前記第１のＴＴＩを使用する通信用のＰＱＩ構成の数よりも少ないかまたはそれに等しい、Ｃ１６に記載の方法。
［Ｃ１９］
データ通信のために、前記第２のＴＴＩまたは前記第１のＴＴＩを使用する前記ＰＱＩ構成は、制御チャネル内のシグナリングによって決定される、Ｃ１８に記載の方法。
［Ｃ２０］
制御チャネル通信のために、第１のＰＱＩ構成が第１の復号候補のために決定され、第２のＰＱＩ構成が第２の復号候補のために決定される、Ｃ１８に記載の方法。
［Ｃ２１］
前記第１のＴＴＩに対して前記第２のＴＴＩを使用する送信のタイミングに少なくとも部分的に基づいて、前記第２のＴＴＩを使用する前記送信のＣｏＭＰ送信方式を決定すること、
をさらに備える、Ｃ１に記載の方法。
［Ｃ２２］
前記ＣｏＭＰ送信方式は、前記第２のＴＴＩを使用する前記送信が前記第１のＴＴＩの制御領域と一致するときディセーブルにされ、前記ＣｏＭＰ送信方式は、前記第２のＴＴＩを使用する前記送信が前記第１のＴＴＩのデータ領域と一致するときイネーブルにされる、Ｃ２１に記載の方法。
［Ｃ２３］
前記ＣｏＭＰ送信方式は、前記第２のＴＴＩを使用する前記送信が前記第１のＴＴＩの制御領域と一致するとき共通基準信号（ＣＲＳ）に基づき、前記ＣｏＭＰ送信方式は、前記第２のＴＴＩを使用する前記送信が前記第１のＴＴＩのデータ領域と一致するとき復調基準信号（ＤＭ−ＲＳ）に基づく、Ｃ２１に記載の方法。
［Ｃ２４］
前記第１のＴＴＩの中の制御領域内の直交周波数分割多重（ＯＦＤＭ）シンボルの量は可変であり、１つまたは複数のＯＦＤＭシンボルは、前記ＯＦＤＭシンボルが制御領域ＯＦＤＭシンボルを備えるか、またはデータ領域ＯＦＤＭシンボルを備えるかを決定するためにブラインド復号される、Ｃ２１に記載の方法。
［Ｃ２５］
前記第１のＴＴＩの中の制御領域の直交周波数分割多重（ＯＦＤＭ）シンボルの数は、前記第２のＴＴＩを使用して送信されるサブフレームのチャネルフォーマットインジケータおよびタイプに少なくとも部分的に基づいて決定される、Ｃ２１に記載の方法。
［Ｃ２６］
前記第１のＴＴＩを使用して送信される直交周波数分割多重（ＯＦＤＭ）シンボルのサブセットは、ＯＦＤＭシンボルの前記サブセット内の各シンボルが制御情報を備えるか、またはデータを備えるかにかかわらず、前記第１のＴＴＩの中の制御領域シンボルであるように構成される、Ｃ２１に記載の方法。
［Ｃ２７］
前記第１のＴＴＩの中の制御領域用の前記ＣｏＭＰ送信方式と、前記制御領域の直交周波数分割多重（ＯＦＤＭ）シンボルの数とが、ユーザ機器（ＵＥ）にシグナリングされる、Ｃ２１に記載の方法。
［Ｃ２８］
ワイヤレス通信のための装置であって、
第１の送信時間間隔（ＴＴＩ）を使用する通信用のパラメータの第１のセットを決定するための手段と、
第２のＴＴＩを使用する通信用のパラメータの第２のセットを決定するための手段と、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けるための手段と、
前記第１のＴＴＩまたは前記第２のＴＴＩのうちの少なくとも１つと前記第１のパラメータとを使用して通信を実施するための手段と、
を備える、装置。
［Ｃ２９］
通信のための装置であって、
プロセッサと、
前記プロセッサと電子通信しているメモリと、
前記メモリに記憶された命令と、を備え、前記命令は、
第１の送信時間間隔（ＴＴＩ）を使用する通信用のパラメータの第１のセットを決定することと、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実施することと、
を前記装置に行わせるように前記プロセッサによって実行可能である、装置。
［Ｃ３０］
ワイヤレス通信のためのコードを記憶する非一時的コンピュータ可読媒体であって、前記コードは、
第１の送信時間間隔（ＴＴＩ）を使用する通信用のパラメータの第１のセットを決定することと、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実施することと、
を行うように実行可能な命令を備える、非一時的コンピュータ可読媒体。